(57)【要約】      （修正有）【課題】断熱性及び組立性に優れた断熱コンテナの提供を目的とする。【解決手段】奥行き方向に配設した通し枠１０と、幅方向に配置した横枠２０と、上下方向に配置した竪枠３０と、断熱パネル４０と、パネル内面押さえ材１４とを備え、通し枠１０と横枠２０と竪枠３０は、パネル外面押さえ部１１ａを有する外側金属形材１１と外側金属形材１１の内側に位置する内側金属形材１２とを断熱材１３で接続したものであり、通し枠１０の、外側金属形材１１及び内側金属形材１２の奥行き方向の側部に、横枠２０及び竪枠３０の外側金属形材１１及び内側金属形材１２をそれぞれ突合わせて接続し、パネル内面押さえ材１４は、各枠の内側金属形材１２に内側から着脱自在であり、断熱パネル４０は、パネル端部を各枠のパネル外面押さえ部１１ａと内側に位置するパネル内面押さえ材１４間に保持していることを特徴とする。【選択図】  図１
2007022551.tif 000002
【特許請求の範囲】
【請求項１】
奥行き方向に配設した通し枠と、幅方向に配置した横枠と、上下方向に配置した竪枠と、断熱パネルと、パネル内面押さえ材とを備え、
通し枠と横枠と竪枠は、パネル外面押さえ部を有する外側金属形材と外側金属形材の内側に位置する内側金属形材とを断熱材で接続したものであり、
通し枠の、外側金属形材及び内側金属形材の奥行き方向の側部に、横枠及び竪枠の外側金属形材及び内側金属形材をそれぞれ突合わせて接続し、
パネル内面押さえ材は、各枠の内側金属形材に内側から着脱自在であり、
断熱パネルは、パネル端部を各枠のパネル外面押さえ部と内側に位置するパネル内面押さえ材間に保持していることを特徴とする断熱コンテナ。
【発明の詳細な説明】
【技術分野】
【０００１】
本発明は、断熱保冷性を有する車両用の荷物収納室や輸送用コンテナに用いる断熱コンテナに関する。
【背景技術】
【０００２】
内側の保冷性を確保するために断熱パネルを用いたコンテナは公知であり、例えば、特開２０００１−２３３２５５号公報には、骨格フレームにレール構造を採用し、断熱パネルをこのレールに摺動装着する箱形の断熱コンテナ（バン型ボデー）を開示するが、各パネルの両端部をその両側のレールに沿って、かつ、レールの端からスライド装着しなければならないためにコンテナの組立作業が大変であった。
特に、近年の収納容量の大型化に伴い、断熱パネルも大きくなり両側の骨格フレーム間にほぼ平行にスライド挿入しなければならない上記組立工法は作業が大掛かりになる問題があった。
また、パネルの大型化に伴い、骨格フレームとパネルを外側からビス止めする組立作業が大変であった。
さらには、コンテナの一部のパネルに破損等が生じ、パネルの取り替えメンテナンスを必要とする場合に、レールの端部からメンテナンスの必要の無い他のパネルまで一旦外してかからないと取り替え、あるいは修理等が出来ない問題もあった。
【０００３】
【特許文献１】特開２００１−２３３２５５号公報
【発明の開示】
【発明が解決しようとする課題】
【０００４】
本発明は、上記背景技術に有する技術的課題に鑑みて、断熱性及び組立性に優れた断熱コンテナの提供を目的とする。
【課題を解決するための手段】
【０００５】
本発明に係る断熱コンテナは、奥行き方向に配設した通し枠と、幅方向に配置した横枠と、上下方向に配置した竪枠と、断熱パネルと、パネル内面押さえ材とを備え、通し枠と横枠と竪枠は、パネル外面押さえ部を有する外側金属形材と外側金属形材の内側に位置する内側金属形材とを断熱材で接続したものであり、通し枠の、外側金属形材及び内側金属形材の奥行き方向の側部に、横枠及び竪枠の外側金属形材及び内側金属形材をそれぞれ突合わせて接続し、パネル内面押さえ材は、各枠の内側金属形材に内側から着脱自在であり、断熱パネルは、パネル端部を各枠のパネル外面押さえ部と内側に位置するパネル内面押さえ材間に保持していることを特徴とする。
【０００６】
ここで奥行き方向に配設した通し枠とは、概ね水平方向に配置した横枠と、上下方向に配置した竪枠と、突き当てるように配置した概ね水平方向の枠をいう。
また、外側金属形材と内側金属形材とを断熱材で接続したとは、形材の長手方向に沿ってコンテナの外側に位置する外側金属形材と、コンテナの内側に位置する内側金属形材とを樹脂等の断熱性の有する材料で接続してあることをいう。
【発明の効果】
【０００７】
本発明においては、断熱コンテナの骨枠を構成する外側金属形材と内側金属形材とを断熱材で接続し、パネル外面押さえとパネル内面押さえとで断熱パネルを保持したことにより、コンテナ内部の保冷等の断熱性に優れるとともに、断熱パネルを外側金属形材の外面押さえ部に内側から押さえるパネル内面押さえ材を、内側金属形材に内側から着脱自在にしたことにより、断熱パネルの組立作業がコンテナの内側からできるので作業性がよい。
また、断熱パネルの取替えメンテナンスもコンテナ内側から必要な部分のパネル内面押さえ材を取り外してできるため、取り替えや修理の必要なパネルのみを取り外してメンテナンスできる。
外側金属形材及び内側金属形材の奥行き方向の側部に、横枠及び竪枠の外側金属形材及び内側金属形材を突合わせて接続できるため、奥行き方向に複数の断熱パネルを連結可能になりコンテナの大型化に対応しやすい。
【発明を実施するための最良の形態】
【０００８】
本発明に係る断熱コンテナは、輸送用コンテナあるいは、トラックの荷物収納室等の断熱性が要求される各種収納室に適用できる。
例えば、図２に示すようにトラックの保冷用荷物収納室に展開した例を以下図面に基づいて説明する。
図１は、説明のためにコンテナ部分の通し枠１０からトラック後部側のパネルを取り外した状態を示し、図３はＡ−Ａ線断面の上部コーナー側を示し、図４は、Ｂ−Ｂ線断面図を示し、図５はＣ−Ｃ線断面図を示す。
【０００９】
図１に示すように、概ね水平方向に配置した奥行き方向の通し枠１０に対して、幅方向に配置した横枠２０と上下方向に配置した竪枠３０とで形成した枠体を組み立てることで箱型の骨組を形成している。
通し枠の奥行き方向の側部に、所定の間隔を開けて横枠２０及び竪枠３０を設けることで断熱パネル４０を奥行き方向に連結できるようになっていて、断熱コンテナの大型化に対応しやすい。
なお、横枠及び竪枠の本数、所定の間隔等は、連結するパネル枚数により定まる。
通し枠１０、横枠２０及び竪枠３０は、それぞれ外側金属形材１１、２１、３１と内側金属形材１２、２２、３２とをその形材の長手方向に沿って樹脂等の断熱性を有する断熱材１３、２３、３３で接続してある。
この構造を例えば図３に断面図を示した通し枠を例にて詳述すると、断面略Ｌ字型の外側金属形材１１の断面方向両端部に断熱パネル４０の外面押さえ部１１ａ、１１ａを形成し、それよりも内側に連結部１１ｂ、１１ｂを設けてある。
一方、それに対応して断面略Ｌ字型の内側金属形材１２の断面方向両端部に連結部１２ｂ、１２ｂを設けて、外側金属形材の連結部１１ｂと内側金属形材の連結部１２ｂを断熱材１３でそれぞれ接続してある。
外側及び内側の金属形材はアルミ押出形材等で製作してあり、樹脂等の断熱材１３を複合押出工法等によりアルミ形材の押出しと同時に形成してもよく、アルミ形材の押出後に樹脂を注入連結してもよく製造方法に限定はない。
横枠２０及び竪枠３０も、外側金属形材と内側金属形材とをその形材の長手方向に沿って樹脂等の断熱性を有する断熱材で接続してある点では、通し枠１０と基本的に同じで、それぞれ外側金属形材２１、３１と内側金属形材２２、３２とが連結部２１ｂ、２２ｂ、３１ｂ、３２ｂを断熱材２３、３３で接続してあり、金属製の枠を伝導して放熱される熱を少なく抑えている。
【００１０】
通し枠の奥行き方向途中の、横枠２０及び竪枠３０の場合には、外側金属形材２１、３１は断面略Ｔ字型に形成してあり、断面略Ｔ字型の外側両片端部にパネル外面押さえ部２１ａ、３１ａを設けるとともに、断面略Ｕ字型の内側金属形材２２、３２と断熱材２３、３３で接続し、内側から外側に熱伝導するのを抑えている。
通し枠、横枠及び竪枠の連結には、必要に応じて連結金具１７ａ、１７ｂを用いる。
図６に示すように、コンテナの後部側等の横枠２０及び竪枠３０は、外側金属形材と内側金属形材で断面略矩形形状を成し、この横枠２０及び竪枠３０の内側見込み面にコーナー連結具１５ａ、１５ｂをビス等の固定部材１１５ａ、１１５ｂを用いて取り付け、このコーナー連結具と通し枠１０の内側面が当接するように通し枠１０の端部を突き当て、ビス等の固定部材にて連結固定する。
なお、通し枠、横枠、竪枠には、パネル内面押さえ材を取り付けるためのネジ穴１６ａを形成してある。
【００１１】
通し枠と横枠及び竪枠とで骨組を組み立てると、骨組の枠開口部外側には、断熱パネル４０の外側縁部に対応するパネル外面押さえ部１１ａ、２１ａ、３１ａ、を形成する。
このパネル外面押さえ部に断熱パネル４０を当接するように、断熱コンテナの内側から組み込み組み立てる。
例えば図３で説明すると、概ね水平方向平行に配置した２本の通し枠１０、１０の間に下側から上側に向けて断熱パネル４０を組み込み、断熱パネル４０の縁部をパネル外面押さえ部１１ａに押し当てるようにして内側からパネル内面押さえ材１４ａをビス等の固定部材１１４ａにて通し枠１０の見込み面に取り付ける。
同様にして、奥行き方向前面断熱パネルと後面断熱パネルはパネル内面押さえ材１４ｂを用いて固定部材１１４ｂにて取り付ける。
コンテナの竪枠３０と通し枠１０に対しては、パネル内面押さえ材１４ｃを用いて固定部材１１４ｃにて取り付ける。
このように、断熱パネル４０をコンテナの内側からパネル内面押さえ材１４ａ、１４ｂ、１４ｃを用いて着脱自在に取り付けることにより、断熱パネルの取付作業が容易であるだけでなく、断熱パネルの補修、取替え等のメンテナンスも断熱パネル毎にできる。
【図面の簡単な説明】
【００１２】
【図１】本発明に係る断熱コンテナの斜視図を模式的に示す。
【図２】本発明に係る断熱コンテナを車両の荷物収納室に適用した例を示す。
【図３】Ａ−Ａ線断面図を示す。
【図４】Ｂ−Ｂ線断面図を示す。
【図５】Ｃ−Ｃ線断面図を示す。
【図６】コンテナ後端部の横枠と竪枠と通し枠の連結例を示す。
【符号の説明】
【００１３】
１０    通し枠
１１    外側金属形材
１１ａ  パネル外面押さえ部
１２    内側金属形材
１３    断熱材
１４    パネル内面押さえ材
２０    横枠
３０    竪枠
【図１】
2007022551.tif 000003
【図２】
2007022551.tif 000004
【図３】
2007022551.tif 000005
【図４】
2007022551.tif 000006
【図５】
2007022551.tif 000007
【図６】
2007022551.tif 000008